(57)【要約】【課題】瓶体を押圧することにより瓶体の中に外部の空気を吸入し、瓶体の中に収納した溶液と混合して泡を発生させる泡発生装置及びその容器を提供する。【解決手段】泡発生装置Ａは、ノズルベース１、一方向弁２及びノズル３を備える。ノズルベース１には、接合部１１が設けられている。接合部１１の上部には組立部１３が設けられている。組立部１３には、複数の通気孔１４３を有する隔板１４が設けられている。隔板１４の中心側には、スリーブ１５が接続されている。スリーブ１５の中心側には筒孔１５１が設けられている。筒孔１５１には、数個の貫通孔１６１を有する分離プレート１６が設けられている。一方向弁２は、ノズルベース１のスリーブ１５に外嵌され、ノズルベース１の下部収納室１４２に位置し、上縁から下方へ斜めに延伸した弾片２２が下部収納室１４２の周囲壁に当接する。【選択図】図２
0003159052.tif 000002
【実用新案登録請求の範囲】
【請求項１】
ノズルベース、一方向弁及びノズルを備える泡発生装置であって、
前記ノズルベースには、接合部が設けられ、前記接合部の上部には組立部が設けられ、前記組立部には、複数の通気孔を有する隔板が設けられ、前記隔板の中心側には、スリーブが接続され、前記スリーブの中心側には筒孔が設けられ、前記筒孔には、数個の貫通孔を有する分離プレートが設けられ、
前記一方向弁は、前記ノズルベースの前記スリーブに外嵌され、前記ノズルベースの下部収納室に位置し、上縁から下方へ斜めに延伸した弾片が前記下部収納室の周囲壁に当接し、
前記ノズルは、前記ノズルベースの上部に外嵌され、前記ノズルの環状壁により前記ノズルベースの前記組立部の外側を覆い、前記環状壁と前記組立部との間にガス導入隙間を設け、前記ノズルの中に滞留エリアを形成し、前記滞留エリアと前記ノズルベースの前記筒孔とを対応させ、前記滞留エリアとノズル口とを連通し、前記ノズルベースの前記分離プレートの底部及び前記ノズル口のうちの少なくとも何れか１つにフィルタが設けられていることを特徴とする泡発生装置。
【請求項２】
前記スリーブは、前記筒孔に向かって傾斜され、間隔をおいて配置された数個の挟持片を底縁に有することを特徴とする請求項１に記載の泡発生装置。
【請求項３】
泡発生装置、吸管及び瓶体を備える泡発生装置の容器であって、
前記泡発生装置は、ノズルベース、一方向弁及びノズルを有し、
前記ノズルベースには、接合部が設けられ、前記接合部の上部には組立部が設けられ、前記組立部には、複数の通気孔を有する隔板が設けられ、前記隔板の中心側には、スリーブが接続され、前記スリーブの中心側には筒孔が設けられ、前記スリーブの底縁には、前記筒孔側に傾斜され、間隔をおいて配置された数個の挟持片が形成され、前記挟持片間に隙間が設けられ、前記筒孔には、数個の貫通孔を有する分離プレートが設けられ、
前記一方向弁は、前記ノズルベースの前記スリーブに外嵌され、前記ノズルベースの下部収納室に位置し、上縁から下方へ斜めに延伸した弾片が前記下部収納室の周囲壁に当接し、
前記ノズルは、前記ノズルベースの上部に外嵌され、前記ノズルの環状壁により前記ノズルベースの前記組立部の外側を覆い、前記環状壁と前記組立部との間にガス導入隙間を設け、前記ノズルの中に滞留エリアを形成し、前記滞留エリアと前記ノズルベースの前記筒孔とを対応させ、前記滞留エリアとノズル口とを連通し、前記ノズルベースの前記分離プレートの底部及び前記ノズル口のうちの少なくとも何れか１つにフィルタが設けられ、
前記吸管は、前記泡発生装置の前記ノズルベースに設けた前記筒孔に内嵌し、前記瓶体の中で延伸し、
前記瓶体は、軟質であり、瓶口に設けられた前記接合部により、前記泡発生装置の前記ノズルベースに設けた前記接合部と接続することを特徴とする泡発生装置の容器。
【考案の詳細な説明】
【技術分野】
【０００１】
本考案は、泡発生装置及びその容器に関し、特に、瓶体を押圧すると、外部の空気が瓶体内に吸入され、瓶体内にある溶液と混合し、泡を発生させる泡発生装置及びその容器に関する。
【背景技術】
【０００２】
ヘアースタイリング剤、髪染剤などの溶液を収納するスプレー容器は、高圧窒素ガスと混合して泡を噴出する。しかし、スプレー容器には、例えば、鉄などの金属製瓶体が溶液の収納部分に用いられているため、製造コストが高い上、廃棄処理が極めて困難であり、環境を汚染しやすかった。
【考案の概要】
【考案が解決しようとする課題】
【０００３】
本考案の目的は、瓶体を押圧することにより瓶体の中に外部の空気を吸入し、瓶体の中に収納した溶液と混合して泡を発生させる泡発生装置及びその容器を提供することにある。
【課題を解決するための手段】
【０００４】
上記課題を解決するために、本考案の第１の形態によれば、ノズルベース、一方向弁及びノズルを備える泡発生装置であって、前記ノズルベースには、接合部が設けられ、前記接合部の上部には組立部が設けられ、前記組立部には、複数の通気孔を有する隔板が設けられ、前記隔板の中心側には、スリーブが接続され、前記スリーブの中心側には筒孔が設けられ、前記筒孔には、数個の貫通孔を有する分離プレートが設けられ、前記一方向弁は、前記ノズルベースの前記スリーブに外嵌され、前記ノズルベースの下部収納室に位置し、上縁から下方へ斜めに延伸した弾片が前記下部収納室の周囲壁に当接し、前記ノズルは、前記ノズルベースの上部に外嵌され、前記ノズルの環状壁により前記ノズルベースの前記組立部の外側を覆い、前記環状壁と前記組立部との間にガス導入隙間を設け、前記ノズルの中に滞留エリアを形成し、前記滞留エリアと前記ノズルベースの前記筒孔とを対応させ、前記滞留エリアとノズル口とを連通し、前記ノズルベースの前記分離プレートの底部及び前記ノズル口のうちの少なくとも何れか１つにフィルタが設けられていることを特徴とする泡発生装置が提供される。
【０００５】
また、前記スリーブは、前記筒孔に向かって傾斜され、間隔をおいて配置された数個の挟持片を底縁に有することが好ましい。
【０００６】
本考案の第２の形態によれば、泡発生装置、吸管及び瓶体を備える泡発生装置の容器であって、前記泡発生装置は、ノズルベース、一方向弁及びノズルを有し、前記ノズルベースには、接合部が設けられ、前記接合部の上部には組立部が設けられ、前記組立部には、複数の通気孔を有する隔板が設けられ、前記隔板の中心側には、スリーブが接続され、前記スリーブの中心側には筒孔が設けられ、前記スリーブの底縁には、前記筒孔側に傾斜され、間隔をおいて配置された数個の挟持片が形成され、前記挟持片間に隙間が設けられ、前記筒孔には、数個の貫通孔を有する分離プレートが設けられ、前記一方向弁は、前記ノズルベースの前記スリーブに外嵌され、前記ノズルベースの下部収納室に位置し、上縁から下方へ斜めに延伸した弾片が前記下部収納室の周囲壁に当接し、前記ノズルは、前記ノズルベースの上部に外嵌され、前記ノズルの環状壁により前記ノズルベースの前記組立部の外側を覆い、前記環状壁と前記組立部との間にガス導入隙間を設け、前記ノズルの中に滞留エリアを形成し、前記滞留エリアと前記ノズルベースの前記筒孔とを対応させ、前記滞留エリアとノズル口とを連通し、前記ノズルベースの前記分離プレートの底部及び前記ノズル口のうちの少なくとも何れか１つにフィルタが設けられ、前記吸管は、前記泡発生装置の前記ノズルベースに設けた前記筒孔に内嵌し、前記瓶体の中で延伸し、前記瓶体は、軟質であり、瓶口に設けられた前記接合部により、前記泡発生装置の前記ノズルベースに設けた前記接合部と接続することを特徴とする泡発生装置の容器が提供される。
【考案の効果】
【０００７】
本考案の泡発生装置及びその容器は、瓶体を押圧することにより瓶体の中に外部の空気を吸入し、瓶体の中に収納した溶液と混合して泡を発生させることができる。
【図面の簡単な説明】
【０００８】
【図１】本考案の一実施形態による泡発生装置及びその容器を示す分解斜視図である。
【図２】本考案の一実施形態による泡発生装置及びその容器を示す断面図である。
【図３】本考案の一実施形態による泡発生装置及びその容器を使用するときの状態を示す断面図である。
【図４】本考案の一実施形態による泡発生装置及びその容器を使用するときの状態を示す断面図である。
【図５】本考案の一実施形態による泡発生装置及びその容器を使用するときの状態を示す断面図である。
【図６】本考案の他の実施形態による泡発生装置及びその容器を使用するときの状態を示す断面図である。
【図７】本考案の他の実施形態による泡発生装置及びその容器を使用するときの状態を示す断面図である。
【考案を実施するための形態】
【０００９】
以下、本考案の実施形態について図に基づいて説明する。なお、これによって本考案が限定されるものではない。
【００１０】
図１及び図２を参照する。図１及び図２に示すように、本考案の一実施形態による泡発生装置及びその容器は、容易に泡を発生させることができる泡発生装置Ａ及び軟質プラスチック製の瓶体Ｂを含む。泡発生装置Ａは、ノズルベース１、一方向弁２及びノズル３を含む。
【００１１】
ノズルベース１には、接合部１１が設けられている。接合部１１は、雌ネジ部であり、雄ネジ部である接合部Ｂ１を瓶口に有する瓶体Ｂと螺接すると、接合部Ｂ１に数個の位置決め片１２が接続される。それら数個の位置決め片１２の間には、嵌合溝１２１が設けられ、中心側に組立部１３が間隔をおいて設けられている。組立部１３は、隔板１４により分離された上部収納室１４１と下部収納室１４２とを含む。隔板１４は、複数の通気孔１４３を有し、中心側にスリーブ１５が接続されている。スリーブ１５は、中心側に筒孔１５１が設けられ、底縁には、吸管Ｃを挟持するために用いる数個の第１の挟持片１５２が、筒孔１５１側に間隔をおいて設けられている。この第１の挟持片１５２は、空気の流通に用いる隙間１５３に配置されている。筒孔１５１の中には、第１のフィルタ１７が底部に貼着された数個の第１の貫通孔１６１を有する分離プレート１６が配置されている。
【００１２】
一方向弁２は、中心側に有する第２の貫通孔２１を、ノズルベース１のスリーブ１５に外嵌すると、ノズルベース１の下部収納室１４２に位置する。一方向弁２は、上縁から斜めに下方へ延伸し、下部収納室１４２の周囲壁に当接されている。
【００１３】
ノズル３は、ノズルベース１の上部に外嵌し、外周壁３０によりノズルベース１の位置決め片１２の外側を覆う。外周壁３０の内側には、嵌合部３０１が形成され、ノズルベース１の嵌合溝１２１と嵌着した後、ノズル３の外周壁３０の中に、間隔をおいて環状壁３１を設け、ノズルベース１の組立部１３に外嵌し、環状壁３１とノズルベース１の組立部１３との間にガス導入隙間３１１を形成してから、ノズル３の内部に第２の挟持片３５を形成し、ノズルベース１のスリーブ１５の上縁を挟持して位置決めし、ノズル３に中空滞留エリア３２を形成する。滞留エリア３２と、ノズルベース１の筒孔１５１とは位置が対応するように設ける。滞留エリア３２とノズル口３３とは連通されている。ノズル口３３の中には、第２のフィルタ３４が取り付けられている。
【００１４】
本実施形態の泡発生装置及びその容器を実際に組み立てる際は、瓶体Ｂにヘアースタイリング剤、髪染剤などの溶液を収納してから、ノズルベース１のスリーブ１５の筒孔１５１の中に吸管Ｃを取り付け、第１の挟持片１５２により強固に挟持する。その後、ノズル３と接続されたノズルベース１を、接合部１１に設けられた雌ネジ部により、雄ネジ部を瓶口に有する接合部Ｂ１の瓶体Ｂに螺接する。
【００１５】
図３を併せて参照する。図３に示すように、使用する際は、ノズルベース１に取り付けたノズル３が上方に移動すると、ノズルベース１の組立部１３と、ノズル３の環状壁３１と、ノズルベース１との間に形成されたガス導入隙間３１１を介し、ノズルベース１の通気孔１４３及び一方向弁２を外部の空気が通って、瓶体Ｂの中に流入する。
【００１６】
図４を併せて参照する。図４に示すように、瓶体Ｂを押圧すると、瓶体Ｂ内部の圧力が変化し、瓶体Ｂの中にある空気が上方へ押され、スリーブ１５に間隔をおいて配置された第１の挟持片１５２間の隙間１５３を通って筒孔１５１へ入る。
【００１７】
瓶体Ｂは、押圧により内部の圧力が変化すると、瓶体Ｂの中に収納されている溶液が吸管Ｃにより吸引され、吸管Ｃによりスリーブ１５の筒孔１５１へ向かって流動する。
【００１８】
吸管Ｃにより吸引された溶液が空気と混合してから、空気の圧力により第１のフィルタ１７に向かって押し出されると泡が形成され、分離プレート１６の第１の貫通孔１６１からノズル３の滞留エリア３２に向かって押し出された後、滞留エリア３２の中で泡構造が安定する。
【００１９】
続いて、滞留エリア３２にある泡が空気により押し出されると、滞留エリア３２に連通したノズル口３３から外部に噴出されるが、ノズル口３３から噴出される前に、ノズル口３３の中に設けた第２のフィルタ３４により泡をきめ細かにしてクリーミーな泡をノズル口３３から噴出する。
【００２０】
図５を併せて参照する。図５に示すように、瓶体Ｂの押圧をリリースすると、瓶体Ｂ内部に吸引力が発生し、外部の空気がノズルベース１の組立部１３と、ノズル３の環状壁３１との間に設けられたガス導入隙間３１１から吸引され、ノズルベース１の通気孔１４３から入ると、下部収納室１４２の周囲壁に当接された一方向弁２の弾片２２を押し開きながら瓶体Ｂの中に入る。一方向弁２の弾片２２は、空気が通過した後、弾性回復力により、ノズルベース１の下部収納室１４２の周囲壁に当接する状態に復元され、瓶体Ｂの中に空気が溜められる。瓶体Ｂを押圧すると、溶液に気体が混合されて泡が形成される。
【００２１】
このように瓶体Ｂを押圧することにより、瓶体Ｂの中に外部から空気が入って溶液と繰り返して混合されるため、瓶体Ｂの中に高圧空気を入れる必要がない。そのため、製造工程及びコストを節減することができるとともに、高圧空気により瓶体Ｂが破裂することがないため、瓶体を金属材料で製造する必要がなく、製造コストを減らすことができる。
【００２２】
図６及び図７を参照する。図６及び図７に示すように、本考案の他の実施形態による泡発生装置及びその容器では、ノズルベース１の位置決め片１２及びノズル３の外周壁３０を設置しなかったり、ノズルベース１の第１のフィルタ１７又はノズル３の第２のフィルタ３４を間隔をあけて複数層に形成したり、第２のフィルタ３４の設置を省略することにより、同様の機能を得ながら、材料にかかるコストと製造時間とを節減することができる。
【００２３】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００２４】
１  ノズルベース
２  一方向弁
３  ノズル
１１  接合部
１２  位置決め片
１３  組立部
１４  隔板
１５  スリーブ
１６  分離プレート
１７  第１のフィルタ
２１  第２の貫通孔
２２  弾片
３０  外周壁
３１  環状壁
３２  滞留エリア
３３  ノズル口
３４  第２のフィルタ
３５  第２の挟持片
１２１  嵌合溝
１４１  上部収納室
１４２  下部収納室
１４３  通気孔
１５１  筒孔
１５２  第１の挟持片
１５３  隙間
１６１  第１の貫通孔
３０１  嵌合部
３１１  ガス導入隙間
Ａ  泡発生装置
Ｂ  瓶体
Ｂ１  接合部
Ｃ  吸管
【図１】
0003159052.tif 000003
【図２】
0003159052.tif 000004
【図３】
0003159052.tif 000005
【図４】
0003159052.tif 000006
【図５】
0003159052.tif 000007
【図６】
0003159052.tif 000008
【図７】
0003159052.tif 000009